(57)【要約】【課題】浴槽への出入り及び浴槽内での姿勢保持に伴う被治療者および補助者の負担を軽減することができる温熱治療システムを提供すること。【解決手段】治療槽２と、治療用溶液を、温度調整回路装置で所定の温度にする給湯管を介して上記治療槽に注入する循環機構３と、被治療者を載置するキャリア２５と、このキャリア２５を治療槽の外部でリフトアップするとともにキャリア２５を治療槽内にリフトダウンするリフト装置と、キャリア２５をリフトアップした状態で治療槽の上まで移動させるウインチブロック３７とで構成され、該キャリア２５を上記治療槽２の内と外とに交互に移動させる被治療者の搬送機構４とを備える。【選択図】図１
2008142172.tif 000002
【特許請求の範囲】
【請求項１】
治療槽と、お湯もしくは治療用溶液を温度調整回路装置で所定の温度にする給湯管を介して上記治療槽に注入する循環機構と、被治療者を載置する搬送キャリアと、該搬送キャリアを上記治療槽の内と外とに交互に移動させる被治療者の搬送機構とを有することを特徴とする温熱治療システム。
【請求項２】
本体に取り付けられたレール状の表面を、車を有した搬送キャリアが移動することを特徴とする、請求項１に記載の温熱治療システム。
【請求項３】
搬送キャリアの昇降をガイドするレールが、昇降用、横移動用にそれぞれ分割され、一体化されていないことを特徴とする、請求項１または２に記載の温熱治療システム。
【請求項４】
搬送キャリアを横移動させる時に、上記横移動用のレールを、搬送キャリアと接合したまま一緒に移動させることを特徴とする、請求項１ないし３のいずれかに記載の温熱治療システム。
【請求項５】
搬送キャリアを昇降させる時に、ワイヤー巻き上げ巻き戻しを利用したことを特徴とする、請求項１ないし４のいずれかに記載の温熱治療システム。
【発明の詳細な説明】
【技術分野】
【０００１】
本発明は、温熱治療システム、詳しくは生体をその時点での患者の状態や治療目的に対して最適な体温まで上昇させ、その体温を高精度に所定時間維持させることにより健康の増進、疾病の治療や予防に寄与する温熱治療を行なうための温熱治療システムに関するものである。
【背景技術】
【０００２】
従来、癌やＨＩＶ感染症（エイズ）の治療法の１つとして温熱治療が知られている。この治療方法は癌細胞あるいはＨＩＶウィルスが正常な細胞より熱に対する耐性が低いことを利用し、癌細胞あるいはＨＩＶウィルスが死滅する温度まで体温を上げて温熱治療を行うための温浴型温熱治療装置が提案されている（例えば、特許文献１）。
【０００３】
この温浴型温熱治療装置は、浴槽と強制循環式ボイラーと浴槽内の湯温の温度を制御する制御部とを備え、浴槽内の湯温度と治療者の脈拍数、呼吸数、心電計による情報等とに基づいて浴槽内の湯温を任意の温度に維持するようにしたものである。
【特許文献１】特開平１０−３３６２６号公報
【発明の開示】
【発明が解決しようとする課題】
【０００４】
上記従来の治療装置においては、浴槽が深いため被治療者は簡単には浸かることができない。被治療者は浴槽への出入りが自力ではできない場合が想定されるため、被治療者の浴槽への搬入、浴槽内での姿勢保持、浴槽からの搬出について従来の治療装置は被治療者及び補助者の負担が大きい点が問題である。
【０００５】
本発明は、上記問題点を解決し、浴槽への出入り及び浴槽内での姿勢保持に伴う被治療者および補助者の負担を軽減することができる温熱治療システムを提供することを課題とする。
【課題を解決するための手段】
【０００６】
前記課題を解決するため、請求項１に係る発明は、治療槽と、お湯もしくは治療用溶液を、温度調整回路装置で所定の温度にする給湯管を介して上記治療槽に注入する循環機構と、被治療者を載置する搬送キャリアと、該搬送キャリアを上記治療槽の内と外とに交互に移動させる被治療者の搬送機構とを有することを特徴とする。
【０００７】
請求項２に係る発明は、さらに、本体に取り付けられたレール状の表面を、車を有した搬送キャリアが、移動することを特徴とする。
【０００８】
請求項３に係る発明は、さらに、搬送キャリアの昇降をガイドするレールが、昇降用、横移動用にそれぞれ分割され、一体化されていないことを特徴とする。
【０００９】
請求項４に係る発明は、さらに、搬送キャリアを横移動させる時に、上記横移動用のレールを搬送キャリアと接合したまま一緒に移動させることを特徴とする。
【００１０】
請求項５に係る発明は、さらに、搬送キャリアユニットを昇降させる時に、ワイヤー巻き上げ巻き戻しを利用したことを特徴とする。
【発明の効果】
【００１１】
請求項１に係る発明によれば、治療槽と、上記循環機構と、被治療者を載置するキャリアおよび搬送機構とを有することにより、浴槽への出入り及び浴槽内での姿勢保持に伴う被治療者および補助者の負担を軽減することができる温熱治療システムを提供することができる。
【００１２】
請求項２に係る発明によれば、本体に取り付けられたレール状の表面を、車を有した搬送キャリアが移動することにより、搬送キャリアを滑らかに移動させることができ、浴槽への出入りに伴う被治療者および補助者の負担をさらに軽減することができる。
【００１３】
請求項３に係る発明は、搬送キャリアの昇降をガイドするレールが、昇降用、横移動用にそれぞれ分割され、一体化されていないことにより、シンプルな機構で昇降、横移動が連続的に行える搬送機構とすることができる。
【００１４】
請求項４に係る発明は、搬送キャリアを横移動させる時に、該搬送キャリアをガイドする横移動用のレールを、搬送キャリアと接合したまま一緒に移動させることにより、キャリア２５は昇降と横移動との間に何らの衝撃を受けることなくスムーズに移動することができる。
【００１５】
請求項５に係る発明は、さらに、搬送キャリアユニットを昇降させる時に、ワイヤー巻き上げ巻き戻しを利用したことにより、シンプルでメンテナンスの容易な搬送機構とすることができる。
【発明を実施するための最良の形態】
【００１６】
図１は、本発明に係る温熱治療システムの一例を示し、この温熱治療システム（以下、治療システムという）は、装置本体１と、この装置本体１に連接した治療槽２と、この治療槽２にお湯もしくは治療用温水を循環させる循環機構３と、該治療槽２に被治療者を搬入搬出する搬送機構４とを備えている。
【００１７】
治療槽２は、大人が横になって温水に浸かることができる程度の変形直方体の治療槽で、上面は開閉可能なキャノピー５で覆われるとともに、このキャノピー５には治療中に治療者と被治療者とがコミュニケーションをとったり、生体検査、ケア処理を可能にするための窓６が開閉可能に設けてある。
【００１８】
なお、上記キャノピー５は開閉用シリンダー２３（図３（ａ）（ｂ）参照）を作動させることにより開閉することができるようになっている。
【００１９】
循環機構３は、図２に示すように、上記治療槽２にお湯もしくは治療用温水を循環させるもので、治療槽に配置された吐出ノズル１０、温度調整回路１５、給湯管１６、ポンプ１７で主に構成されているもので、上記吐出ノズル１０
を治療層２の内壁面に設け、循環回路を形成している。
【００２０】
なお、上記治療用溶液（治療用温水）中には、以下の物質を単独あるいは複合で含有させる。
（イ）０．８％以上のリンゲル液
（ロ）２００ｐｐｍ以上の塩化マグネシウム溶液
（ハ）遠赤外線（４〜１６μＨＺ）発生装置
（ニ）１００〜３７０ＫＢｑ（キロベクレル）の放射性物質
（ホ）３０％以上の酸素のバブリング
（ヘ）１０％以上の二酸化炭素のバブリング
（ト）５ｐｐｍ〜３００ｐｐｍの二酸化塩素（ＣｌＯ２）
（チ）粒径０．０３〜５００μｍのマイクロバブル及びナノバブル
（リ）酸素もしくは二酸化炭素等の単一の分子からなる気体または分子が複合された気体から構成される上記（チ）のバブル
（ヌ）電解やセラミックス等の物質を通して得られる酸化還元電位が２００ｍＶ以下である還元水
（ル）電解やセラミックス等の物質を通して得られる、ｐＨが、６．５以下の酸性水
（ヲ）電解やセラミックス等の物質を通して得られる、ｐＨが、７．５以上のアルカリ水
（ワ）磁気水（磁化溶液）
温度調整回路１５には、治療槽に設けた一つの取水口２０に一端が取り付けられた取水管２１の他端が接続されているが、この取水管２１の途中にはポンプ１７が配置されている。
【００２１】
また、効果的治療を行なうために、キャノピー５の開閉を行いキャノピー５内の湿度、温度を制御するキャノピー５の開閉用シリンダー２３、酸素濃縮器によりキャノピー５内の空間エアー条件を良好に保ったり、治療液の人体に対する密着性、浸透性，膚当り性、熱伝導性等を高めたり、また、早く体を温めたり、深部まで温めたり、温度がさめにくくしたりするために、還元水電解槽、塩化マグネシウム溶液の供給装置、放射性物質、遠赤外線発生装置、磁気発生物質、二酸化炭素発生装置、マイクロバブル発生装置が循環系に設けられている。
【００２２】
なお、還元水は、浴槽に供給する上流にて、電解装置で処理して、それを浴槽に入れる。または循環システム中に還元水生成カートリッジを設置し、浴槽中の溶液を還元化していけばよい。塩化マグネシウム溶液は、高濃度溶液を定量ポンプ等を介して溶液循環システムの途中から規定量を入れ、混ぜ合わせて希釈する。放射性物質、遠赤外線発生物質、磁気発生物質の発生装置は、いずれも循環システム中に、溶液に接触、非接触で常時設置されている。二酸化炭素は、マイクロバブル発生ユニットにて浴槽内の溶液にバブルを生成させる。ナノミスト発生機および酸素濃縮器は直接にナノミストリッチ、および酸素リッチの空気を患者の頭部に供給する。
【００２３】
定量ポンプは循環系の側部から規定量を投入し、循環中の水にうすめるという形で供給する。
【００２４】
特に、ナノミスト発生機や酸素濃縮器については体温上昇時の脳への影響を安全に保ったり、ミトコンドリアを賦活化させるために効果があり、従来の治療器のように、単に温水を所定の温度に維持しているだけではなく、治療に有効な治療用溶液や患者吸気の付加価値を高めることにより被治療者を治療溶液の温度だけではない効果的な治療を行なうことができるようになっている。
【００２５】
なお、お湯もしくは治療用溶液は循環しているため、上記定量ポンプに安定化二酸化塩素系の水溶液を供給し、治療中においても、殺菌、制菌の目的で安全な範囲（欧米で食品添加物として認可を受けている３００ｐｐｍ以下の濃度）で使用してもよい。
【００２６】
搬送機構４は被治療者が仰向けで横たわった状態で治療槽に入浴、出浴できるようにしたもので、図４（ａ）に示すように、被治療者が載るキャリア２５と、このキャリア２５を治療槽の外部でリフトアップするととともにキャリア２５を治療槽内にリフトダウンするリフト装置２６と、キャリア２５をリフトアップした状態で治療槽の上まで移動させるウインチブロック３７（図５（ａ）参照）とで構成されている。ウインチブロック３７はキャリア２５を上記治療槽２の内と外とに交互に移動させることができる。
【００２７】
上記キャリア２５は、背中の角度が調整できるとともに、頭部の高さが調整できるようになっているリクライニングシートで構成され、このキャリア２５は支持フレーム３０上に固定されている。支持フレーム３０は先端が上記キャリア２５の裏側にネジ止めされ、後端は、垂直ガイドレール３１に沿って上下動できるように両側面にローラ３２が取り付けられた支持板３３に固定されている。この支持板３３は上部にワイヤー３４が取り付けられ、垂直ガイドレール３１の上方に配置されたウインチ３５でワイヤー３４を巻き上げれば垂直ガイドレール３１に沿って上昇し、ワイヤー３４を巻き戻せば垂直ガイドレール３１に沿ってキャリア２５の自重で下降するようになっている。
【００２８】
上記２つの垂直ガイドレール３１はフレームの側面に所定間隔をおいて併設され、一方の垂直ガイドレール３１は治療槽の外側に、他方の垂直ガイドレール３１は治療槽の内側に対応して配置され、この２つの垂直ガイドレール３１の上方にはウインチブロック３７が水平移動するための水平ガイドレール３８が配置されている。
【００２９】
ウインチブロック３７は水平ガイドレール３８上を移動することによってキャリア２５を治療槽２の外側から内側に、治療槽２の内側から外側に移動することができるようになっており、この移動は、フレーム３０の上面に配置された水平ガイドレール３８の始端側に配置されたプーリ４０と終端側とに配置されたプーリ４１とに掛け渡された駆動ベルト４２にウインチブロック３７が取り付けられ、始端側のプーリ４０をモータ４３で正逆回転させることにより駆動ベルト４２を回転させてウインチブロック３７が水平ガイドレール３８上を横方向に往復移動できるようになっている。
【００３０】
上記構成のシステムで温熱治療を行なう際は、先ずキャリア２５上に被治療者を載せる。この際、被治療者の体形に合わせて枕２５ａの位置、アームレスト２５ｂの位置、フットレスト２５ｃの位置を調整し、被治療者が楽な姿勢で治療が受けられるような体位に設定する。
【００３１】
被治療者がキャリア２５に載ったら、オペレーターはウインチ３５を作動させてワイヤー３４を巻き上げてキャリア２５を垂直ガイドレール３１に沿って上昇させる。垂直ガイドレール３１を上昇し、ウインチブロック３７と一体になるまでキャリア２５が上昇したら位置決めセンサ（図示せず）によりウインチ３５を止める。次に、モータ４３を回転させ駆動ベルト４２を回転させて水平ガイドレール３８上をウインチブロック３７とともにキャリア２５を治療槽２の上方まで移動させる。
【００３２】
このとき、垂直ガイドレール３１の上部の横移動用レール３１ａは垂直ガイドレール３１本体と分離してキャリア２５と接合したまま移動するため、キャリア２５は昇降と横移動との間に何らの衝撃を受けることなくスムーズに移動することができる。
【００３３】
治療槽２の上方までキャリア２５が移動したら、図示しない位置決めセンサがキャリア２５を検出するとモータ４３の回転が止まり、キャリア２５の水平移動も停止するので、治療者は再びウインチ３５を作動させ、巻き上げたワイヤー３４を徐々にまき戻してキャリア２５を自重で降下させる。
【００３４】
被治療者の身体が肩まで充分に治療槽の治療用温水に浸るまでキャリア２５を下降させたら、ウインチ３５を停止させ、開閉用シリンダー２３を作動させてキャノピー５を下ろして治療槽２の上面を覆う。
【００３５】
このキャノピー５には開閉可能な窓６が設けてあるので、キャノピー５を下ろした後でも窓６を開けることにより治療者と被治療者とのコミュニケーションが取れるとともに、キャノピー５内の空気の入れ替えも行なうことができ、キャノピー５内の温度の調整も行なうことができる。
【００３６】
被治療者が、治療を受ける治療層には、予め演算された最適温度をはじめとする最適条件のお湯もしくは治療用溶液が入っており、患者が入浴し、治療を開始した後も温度調整回路でその都度最適化された設定温度に調整されたお湯もしくは治療用溶液を治療槽に設けられた吐出ノズルから治療槽内の被治療者に直接触れないように吐出させ、吐出したお湯もしくは治療用溶液は温度調整回路に戻され、設定温度に調整された後、再び治療槽に吐出されるお湯もしくは治療用溶液の循環が行なわれるとともに、循環の過程で治療効果を高める様々な付加価値（刺激を軽減し、交感神経劣性、副交感神経優位とし、血液循環量を増加させ、ホメオスターチスによる深部体温上昇抑制の働きを和らげ、目標の深部体温上昇作用が促進される等）が与えられ、お湯に浸かるだけではない、より効果的な治療を受けることができる。
【００３７】
治療が済んだならば、オペレーターはウインチ３５を作動させてワイヤー３４を巻き上げてキャリア２５を垂直ガイドレール３１に沿って上昇させた後、モータ４３を回転させ駆動ベルト４２を回転させて水平ガイドレール３８上をウインチブロック３７を水平移動させ、キャリア２５を横移動用レール３１ａとともに治療槽２の上方から治療槽２の外側に移動させた後、再びウインチ３５を作動させ、巻き上げたワイヤー３４を徐々にまき戻してキャリア２５を垂直ガイドレール３１に沿って自重で降下させる。
【００３８】
降下したキャリア２５からは被治療者は容易に下りることができ、被治療者は治療に当たってキャリヤ２５に横たわり、治療中はキャリヤ２５上で楽な姿勢を保ち、治療後はキャリア２５から下りるだけの簡単な動作で治療を受けることができ、被治療者および補助者にとって負荷のかからない治療を受けることができる温熱治療システムを構築することができる。
【図面の簡単な説明】
【００３９】
【図１】本発明に係る温熱治療システムの構成を説明する斜視図
【図２】治療用温水の循環を説明する循環機構構成図
【図３】（ａ）（ｂ）は、キャリア及びキャノピーの作動状態を説明する側面図
【図４】（ａ）（ｂ）は、キャリアの作動状態を説明するキャリアの正面図
【図５】（ａ）（ｂ）は、キャリアの移動を説明する平面図
【符号の説明】
【００４０】
１    装置本体
２    治療槽
３    循環機構
４    搬送機構
５    キャノピー
１０    吐出ノズル
１６    給湯管
１５    温度調整回路
２５    キャリア
３７    ウインチブロック
【図１】
2008142172.tif 000003
【図２】
2008142172.tif 000004
【図３】
2008142172.tif 000005
【図４】
2008142172.tif 000006
【図５】
2008142172.tif 000007